【手続補正書】
【提出日】平成18年8月1日(2006.8.1)
【手続補正１】
【補正対象書類名】明細書
【補正対象項目名】特許請求の範囲
【補正方法】変更
【補正の内容】
【特許請求の範囲】
【請求項１】  三相交流商用電源に接続された変圧器の位相差を有する複数の第１の出力巻線に接続された第１の三相半波制御整流回路と前記複数の第１の出力巻線の位相と予め定めた位相差を有する複数の第２の出力巻線に接続された第２の三相半波制御整流回路とを整流及び位相制御して直流電力を出力する直流アーク加工用電源制御方法において、三相交流商用電源の一相の相電圧の入力電圧信号の１周期を算出し、前記入力電圧信号の１周期内の予め定めた位相で同期パルス信号を発生し、前記同期パルス信号の発生位置を起点とした前記複数の第１の出力巻線の位相差の間隔を有する複数の第１の位相演算信号及び前記複数の第２の出力巻線の位相差の間隔を有する複数の第２の位相演算信号を算出し、前記複数の第１の位相演算信号に点弧角αｋを加算した複数の第１の位相演算信号及び前記複数の第２の位相演算信号に点弧角αｋを加算した複数の第２の位相演算信号を算出して、点弧角αｋを加算した複数の第１の位相演算信号を第１の三相半波制御整流回路に供給して位相制御し、点弧角αｋを加算した複数の第２の位相演算信号を第２の三相半波制御整流回路に供給して位相制御する直流アーク加工用電源制御方法。
【請求項２】  三相交流商用電源に接続された変圧器の位相差を有する複数の第１の出力巻線に接続された第１の三相半波制御整流回路と前記複数の第１の出力巻線の位相と予め定めた位相差を有する複数の第２の出力巻線に接続された第２の三相半波制御整流回路とを整流及び位相制御して直流電力を出力する直流アーク加工用電源制御方法において、三相交流商用電源の一相の相電圧の１周期内の予め定めた位相で同期パルス信号を発生し、この同期パルス信号の発生位置を起点とした前記複数の第１の出力巻線の位相差の間隔を有する複数の第１の位相演算信号及び前記複数の第２の出力巻線の位相差の間隔を有する複数の第２の位相演算信号を算出し、前記複数の第１の位相演算信号に初期点弧角αｓを加算した複数の第１の位相演算信号及び前記複数の第２の位相演算信号に初期点弧角αｓを加算した複数の第２の位相演算信号を算出して、初期点弧角αｓを加算した第１の位相演算信号を第１の三相半波制御整流回路に供給して位相制御し、初期点弧角αｓを加算した第２の位相演算信号を第２の三相半波制御整流回路に供給して位相制御すると共に、直流出力平均電圧設定値Ｖｓｅｔと出力巻線の一相の相電圧を検出して実効値に変換した相電圧検出実効値Ｖｓとの関係式から定まる演算点弧角αｎを算出し、前記複数の第１の位相演算信号に演算点弧角αｎを加算した複数の第１の位相演算信号及び前記複数の第２の位相演算信号に演算点弧角αｎを加算した複数の第２の位相演算信号を算出して、アーク始動後の最初の１周期は、初期点弧角αｓを加算した第１の位相演算信号を第１の三相半波制御整流回路に供給して位相制御し、初期点弧角αｓを加算した第２の位相演算信号を第２の三相半波制御整流回路に供給して位相制御し、アーク始動後の２周期以後の各１周期は、演算点弧角αｎを加算した第１の位相演算信号を第１の３相半波制御整流回路に供給して位相制御し、演算点弧角αｎを加算した第２の位相演算信号を第２の三相半波制御整流回路に供給して位相制御する直流アーク加工用電源制御方法。
【請求項３】  複数の第１の出力巻線の位相差の間隔が３０度、１５０度及び２７０度であり、複数の第２の出力巻線の位相差の間隔が９０度、２１０度及び３３０度であり、複数の第１の出力巻線の位相差の間隔に点弧角αｋを加算した複数の第１の位相演算信号の発生位置が、（３０＋αｋ）度、（１５０＋αｋ）度及び（２７０＋αｋ）度であり、複数の第２の出力巻線の位相差の間隔に点弧角αｋを加算した複数の第２の位相演算信号の発生位置が、（９０＋αｋ）度、（２１０＋αｋ）度及び（３３０＋αｋ）度である請求項１又は請求項２の直流アーク加工用電源制御方法。
【請求項４】  三相交流商用電源に接続された変圧器の位相差を有する複数の第１の出力巻線に接続された第１の三相半波制御整流回路と前記複数の第１の出力巻線の位相と予め定めた位相差を有する複数の第２の出力巻線に接続された第２の三相半波制御整流回路とを整流及び位相制御して直流電力を出力する直流アーク加工用電源装置において、三相交流商用電源の一相の相電圧の入力電圧信号の１周期を算出し、前記入力電圧信号の１周期内の予め定めた位相で同期パルス信号を発生する同期パルス発生回路と、この同期パルス信号の発生位置を起点とした前記複数の第１の出力巻線の位相差の間隔を有する複数の第１の位相演算信号及び前記複数の第２の出力巻線の位相差の間隔を有する複数の第２の位相演算信号を算出して、この前記複数の第１の位相演算信号に点弧角αｋを加算した複数の第１の位相演算信号及び前記複数の第２の位相演算信号に点弧角αｋを加算した複数の第２の位相演算信号を算出する位相演算回路と、点弧角αｋを加算した複数の第１の位相演算信号を入力して複数の第１の点弧パルス信号を出力する第１の位相制御駆動回路及び点弧角αｋを加算した複数の第２の位相演算信号を入力して複数の第２の点弧パルス信号を出力する第２の位相制御駆動回路と、複数の第１の点弧パルス信号を第１の三相半波制御整流回路に供給して位相制御し、複数の第２の点弧パルス信号を第２の三相半波制御整流回路に供給して位相制御する直流アーク加工用電源装置。
【請求項５】  三相交流商用電源に接続された変圧器の位相差を有する複数の第１の出力巻線に接続された第１の三相半波制御整流回路と前記複数の第１の出力巻線の位相と予め定めた位相差を有する複数の第２の出力巻線に接続された第２の三相半波制御整流回路とを整流及び位相制御して直流電力を出力する直流アーク加工用電源装置において、三相交流商用電源の一相の相電圧の１周期内の予め定めた位相で同期パルス信号を発生する同期パルス発生回路と、直流出力平均電圧設定値Ｖｓｅｔを設定する出力電圧調整器と、出力巻線の一相の相電圧を検出して実効値に変換した相電圧実効値検出信号を出力する相電圧検出回路と、直流出力平均電圧設定値Ｖｓｅｔと相電圧検出実効値Ｖｓとを入力して、直流出力平均電圧設定値Ｖｓｅｔ及び相電圧検出実効値Ｖｓ及び演算点弧角αｎの関係式から定まる演算点弧角αｎを算出し、アーク始動後の最初の１周期の開始時に、この同期パルス信号の発生位置を起点とした前記複数の第１の出力巻線１ａの各位相に初期点弧角αｓを加算した複数の第１の位相演算信号及び前記複数の第２の出力巻線の各位相に複数の第２の初期点弧角αｓを加算した第２の位相演算信号を算出し、アーク始動後の最初の１周期の終了時に、この同期パルス信号の発生位置を起点とした上記複数の第１の出力巻線の各位相に演算点弧角αｎを加算した複数の第１の位相演算信号及び前記複数の第２の出力巻線の各位相に演算点弧角αｎを加算した第２の位相演算信号を算出する位相演算回路と、アーク始動後の最初の１周期は、前記初期点弧角αｓを加算した第１の位相演算信号を入力して複数の第１の点弧パルス信号を出力し、アーク始動後の２周期以後の各１周期は、前記演算点弧角αｎを加算した第１の位相演算信号を入力して複数の第１の点弧パルス信号を出力する第１の位相制御駆動回路と、アーク始動後の最初の１周期は、前記初期点弧角αｓを加算した第２の位相演算信号を入力して複数の第２の点弧パルス信号を出力し、アーク始動後の２周期以後の各１周期は、前記演算点弧角αｎを加算した第２の位相演算信号を入力して第２の点弧パルス信号を出力する第２の位相制御駆動回路と、前記複数の第１の点弧パルス信号を第１の三相半波制御整流回路に供給して位相制御し、前記複数の第２の点弧パルス信号を第２の三相半波制御整流回路に供給して位相制御する直流アーク加工用電源装置。
【請求項６】  複数の第１の出力巻線の位相差の間隔が３０度、１５０度及び２７０度であり、複数の第２の出力巻線の位相差の間隔が９０度、２１０度及び３３０度であり、複数の第１の出力巻線の位相差の間隔に点弧角αｋを加算した複数の第１の位相演算信号の発生位置が、（３０＋αｋ）度、（１５０＋αｋ）度及び（２７０＋αｋ）度であり、複数の第２の出力巻線の位相差の間隔に点弧角αｋを加算した複数の第２の位相演算信号の発生位置が、（９０＋αｋ）度、（２１０＋αｋ）度及び（３３０＋αｋ）度である請求項５又は請求項６の直流アーク加工用電源装置。
【請求項７】  第１の三相半波制御整流回路及び第２の三相半波制御整流回路が、相間リアクトル付き六相半波制御整流回路又は三相半波制御整流回路又は三相ブリッジ制御整流回路又は六相半波制御整流回路のいずれか１つである請求項４又は請求項５の直流アーク加工用電源装置。